(57)【要約】【課題】進行方向に応じた信号機の表示信号を無線通信により変更することを可能とする無線通信端末および交通管理システムを提供する。【解決手段】  携帯電話機１０は、管理装置２０が発信する電波を受信すると（ＳＴ１）、スピーカを鳴動させる（ＳＴ２）。スピーカの鳴動に応じて、歩行者が所定の信号機用ボタンを押下（操作）すると（ＳＴ３）、携帯電話機１０は、自己の位置情報および方位情報（自己の情報）を取得した後（ＳＴ４）、管理装置２０に対して「情報提供要求コマンド」を送出する（ＳＴ５）。管理装置２０は、「情報提供要求コマンド」に応じて、自身が管理する複数の信号機に関する情報を携帯電話機１０へ送信する（ＳＴ６）。携帯電話機１０は、信号機情報と自己の情報とを比較し、表示信号の変更の対象となる信号機を特定して通知する（ＳＴ８）。【選択図】図９
2005190438.tif 000002
【特許請求の範囲】
【請求項１】
無線通信手段と、
入力手段と、
自端末の位置情報を取得する位置情報取得手段と、
自端末の方位情報を取得する方位情報取得手段と、
記憶手段と、
一の交差点に設置される複数の信号機を管理する管理装置と前記無線通信手段により通信を行い、前記複数の信号機にそれぞれ割り当てられた固有の信号機ＩＤを取得して前記記憶手段に保持し、前記入力手段による所定の操作がなされると、当該操作がなされた時点で取得した位置情報および方位情報を基に、青信号にすべき信号機の信号機ＩＤを特定し、特定した信号機の信号機ＩＤを前記無線通信手段により送出するように制御する制御手段と
を有することを特徴とする無線通信端末。
【請求項２】
報知手段を有し、
前記制御手段は、前記無線通信手段により前記管理装置との通信が開始されると、信号機が近くにある旨を前記報知手段により報知するように制御すること
を特徴とする請求項１記載の無線通信端末。
【請求項３】
複数の交差点にそれぞれ設置される複数の信号機を管理する管理センタと無線通信網を介して接続可能な無線通信手段と、
入力手段と、
自端末の位置情報を取得する位置情報取得手段と、
自端末の方位情報を取得する方位情報取得手段と、
記憶手段と、
前記管理センタと前記無線通信手段により通信を行い、自端末の位置情報を送出するとともに当該位置情報に最も近い交差点に属する複数の信号機にそれぞれ割り当てられた固有の信号機ＩＤを取得して前記記憶手段に保持し、前記入力手段による所定の操作がなされると、当該操作がなされた時点で取得した位置情報および方位情報を基に、前記記憶手段に保持する複数の信号機ＩＤの中から青信号にすべき信号機を特定し、特定した信号機の信号機ＩＤを前記無線通信手段により送出するように制御する制御手段と
を有すること特徴とする無線通信端末。
【請求項４】
報知手段を有し、
前記制御手段は、前記無線通信手段により信号機ＩＤを取得する際に各信号機の位置情報も取得し、取得した各信号機の位置情報のいずれかと自端末の位置情報との位置関係が所定距離内になると、信号機が近くにある旨を前記報知手段により報知するように制御すること
を特徴とする請求項３記載の無線通信端末。
【請求項５】
一の交差点に設置される複数の信号機を管理する管理装置と、無線通信端末と、から構成される交通管理システムであって、
前記無線通信端末は、
第１の無線通信手段と、入力手段と、自端末の位置情報を取得する位置情報取得手段と、自端末の方位情報を取得する方位情報取得手段と、第１の記憶手段と、第１の制御手段と、を有し、
前記管理装置は、
第２の無線通信手段と、少なくとも前記複数の信号機にそれぞれ割り当てられた固有の信号機ＩＤを記憶する第２の記憶手段と、第２の制御手段と、を有し、
前記第１の制御手段は、
管理装置から前記複数の信号機の信号機ＩＤを受信すると、受信した信号機ＩＤを第１の記憶手段に保持し、前記入力手段により所定の操作がなされると、当該操作がなされた時点で取得した位置情報および方位情報を基に、第１の記憶手段に保持される複数の信号機ＩＤの中から青信号にすべき信号機を特定し、特定した信号機の信号機ＩＤを、第１の無線通信手段により管理装置に送信するように制御し、
前記第２の制御手段は、
第２の記憶手段に記憶される複数の信号機ＩＤを、第２の無線通信手段により前記無線通信端末に送信し、無線通信端末により特定された信号機の信号機ＩＤを受信すると、受信した信号機ＩＤに対応する信号機が青色を表示するように、前記複数の信号機を制御すること
を特徴とする交通管理システム。
【請求項６】
複数の交差点に設置される複数の信号機と、無線通信端末と、前記複数の信号機を管理する管理センタと、から構成される交通管理システムであって、
前記無線通信端末は、
前記管理センタと無線通信網を介して接続可能な第１の無線通信手段と、入力手段と、自端末の位置情報を取得する位置情報取得手段と、自端末の方位情報を取得する方位情報取得手段と、第１の記憶手段と、第１の制御手段と、を有し、
前記管理センタは、
前記無線通信網に接続可能な第２の無線通信手段と、前記複数の信号機にそれぞれ割り当てられた固有の信号機ＩＤを記憶する第２の記憶手段と、第２の制御手段と、を有し、  前記第１の制御手段は、
管理センタから前記複数の信号機ＩＤを受信すると、受信した信号機ＩＤを第１の記憶手段に保持し、前記入力手段により所定の操作がなされると、当該操作がなされた時点で取得した位置情報および方位情報を基に、第１の記憶手段に保持される複数の信号機ＩＤの中から青信号にすべき信号機を特定し、特定した信号機の信号機ＩＤを、第１の無線通信手段により管理センタに送信するように制御し、
前記第２の制御手段は、
第２の記憶手段に記憶される複数の信号機ＩＤを、第２の無線通信手段により前記無線通信端末に送信し、無線通信端末により特定された信号機の信号機ＩＤを受信すると、受信した信号機ＩＤに対応する信号機が青色を表示するように、前記複数の信号機を制御すること
を特徴とする交通管理システム。
【発明の詳細な説明】
【技術分野】
【０００１】
本発明は、道路交通のために交差点に配設される信号機が表示する点灯信号を、無線通信により制御するための無線通信端末および交通管理システムに関するものである。
【背景技術】
【０００２】
従来より、視覚障害者が安全に歩道を歩行できるようにするための技術が開発されている。
たとえば、下記特許文献１においては、センサで検出可能な材料を路面に溶射することにより路面誘導皮膜を形成し、視覚障害者がセンサを内蔵した杖等を所持し、形成した路面誘導皮膜を検出しながら歩行することを可能とする技術が開示されている。
これによれば、歩道上に歩行誘導用としての凸凹を設ける必要がないため、視覚障害者が歩道であることを誤認識することなく、安全に歩行することが可能になるという効果が得られる。
【０００３】
【特許文献１】特開平６−３３０５１１号公報
【発明の開示】
【発明が解決しようとする課題】
【０００４】
ところで、上記特許文献１に開示されるように、従来、視覚障害者の歩行を補助するための技術は、主として、視覚障害者が安全に歩行できるようにすることのみを企図するものであって、視覚障害者である歩行者の利便性を向上させるものではない。
たとえば、健常者が交差点を歩行する際、その交差点に押しボタン式信号が設置されていれば、歩行者用信号機が赤色点灯を表示する場合でも、その押しボタンを押下することにより、早期に歩行者用信号機が青色点灯を表示するように切り替えることが可能となるが、視覚障害者は、交差点に押しボタン式信号が設置されていても、目が不自由であるために、押しボタンの場所を見つけることが困難であり、早期に歩行者用信号機が青色点灯を表示するように切り替えることができず、不便である。
したがって、交差点において、押しボタン式信号の押しボタンを操作することなく、歩行方向の歩行者用信号機の表示を遠隔的に切り替える技術が要望される。
【０００５】
本発明はかかる事情に鑑みてなされたものであり、その目的は、進行方向に応じた信号機の表示色を無線通信を介して変更することを可能とする無線通信端末および交通管理システムを提供することにある。
【課題を解決するための手段】
【０００６】
上記目的を達成するために本発明の第１の観点は、無線通信手段と、入力手段と、自端末の位置情報を取得する位置情報取得手段と、自端末の方位情報を取得する方位情報取得手段と、記憶手段と、一の交差点に設置される複数の信号機を管理する管理装置と前記無線通信手段により通信を行い、前記複数の信号機にそれぞれ割り当てられた固有の信号機ＩＤを取得して前記記憶手段に保持し、前記入力手段による所定の操作がなされると、当該操作がなされた時点で取得した位置情報および方位情報を基に、青信号にすべき信号機の信号機ＩＤを特定し、特定した信号機の信号機ＩＤを前記無線通信手段により送出するように制御する制御手段とを有する無線通信端末である。
【０００７】
好適には、報知手段を有し、前記制御手段は、前記無線通信手段により前記管理装置との通信が開始されると、信号機が近くにある旨を前記報知手段により報知するように制御する。
【０００８】
本発明の第２の観点は、複数の交差点にそれぞれ設置される複数の信号機を管理する管理センタと無線通信網を介して接続可能な無線通信手段と、入力手段と、自端末の位置情報を取得する位置情報取得手段と、自端末の方位情報を取得する方位情報取得手段と、記憶手段と、前記管理センタと前記無線通信手段により通信を行い、自端末の位置情報を送出するとともに当該位置情報に最も近い交差点に属する複数の信号機にそれぞれ割り当てられた固有の信号機ＩＤを取得して前記記憶手段に保持し、前記入力手段による所定の操作がなされると、当該操作がなされた時点で取得した位置情報および方位情報を基に、前記記憶手段に保持する複数の信号機ＩＤの中から青信号にすべき信号機を特定し、特定した信号機の信号機ＩＤを前記無線通信手段により送出するように制御する制御手段とを有する無線通信端末である。
【０００９】
好適には、報知手段を有し、前記制御手段は、前記無線通信手段により信号機ＩＤを取得する際に各信号機の位置情報も取得し、取得した各信号機の位置情報のいずれかと自端末の位置情報との位置関係が所定距離内になると、信号機が近くにある旨を前記報知手段により報知するように制御する。
【００１０】
本発明の第３の観点は、一の交差点に設置される複数の信号機を管理する管理装置と、無線通信端末と、から構成される交通管理システムであって、前記無線通信端末は、第１の無線通信手段と、入力手段と、自端末の位置情報を取得する位置情報取得手段と、自端末の方位情報を取得する方位情報取得手段と、第１の記憶手段と、第１の制御手段と、を有し、前記管理装置は、第２の無線通信手段と、少なくとも前記複数の信号機にそれぞれ割り当てられた固有の信号機ＩＤを記憶する第２の記憶手段と、第２の制御手段と、を有し、前記第１の制御手段は、管理装置から前記複数の信号機の信号機ＩＤを受信すると、受信した信号機ＩＤを第１の記憶手段に保持し、前記入力手段により所定の操作がなされると、当該操作がなされた時点で取得した位置情報および方位情報を基に、第１の記憶手段に保持される複数の信号機ＩＤの中から青信号にすべき信号機を特定し、特定した信号機の信号機ＩＤを、第１の無線通信手段により管理装置に送信するように制御し、前記第２の制御手段は、第２の記憶手段に記憶される複数の信号機ＩＤを、第２の無線通信手段により前記無線通信端末に送信し、無線通信端末により特定された信号機の信号機ＩＤを受信すると、受信した信号機ＩＤに対応する信号機が青色を表示するように、前記複数の信号機を制御する。
【００１１】
本発明の第４の観点は、複数の交差点に設置される複数の信号機と、無線通信端末と、前記複数の信号機を管理する管理センタと、から構成される交通管理システムであって、前記無線通信端末は、前記管理センタと無線通信網を介して接続可能な第１の無線通信手段と、入力手段と、自端末の位置情報を取得する位置情報取得手段と、自端末の方位情報を取得する方位情報取得手段と、第１の記憶手段と、第１の制御手段と、を有し、前記管理センタは、前記無線通信網に接続可能な第２の無線通信手段と、前記複数の信号機にそれぞれ割り当てられた固有の信号機ＩＤを記憶する第２の記憶手段と、第２の制御手段と、を有し、前記第１の制御手段は、管理センタから前記複数の信号機ＩＤを受信すると、受信した信号機ＩＤを第１の記憶手段に保持し、前記入力手段により所定の操作がなされると、当該操作がなされた時点で取得した位置情報および方位情報を基に、第１の記憶手段に保持される複数の信号機ＩＤの中から青信号にすべき信号機を特定し、特定した信号機の信号機ＩＤを、第１の無線通信手段により管理センタに送信するように制御し、前記第２の制御手段は、第２の記憶手段に記憶される複数の信号機ＩＤを、第２の無線通信手段により前記無線通信端末に送信し、無線通信端末により特定された信号機の信号機ＩＤを受信すると、受信した信号機ＩＤに対応する信号機が青色を表示するように、前記複数の信号機を制御する。
【発明の効果】
【００１２】
本発明に係るによれば、進行方向に応じた信号機の表示信号を無線通信により変更することが可能になるので、たとえば、押しボタン式信号の押しボタンを押下することなく、早期に交差点を横断でき、特に視覚障害者の歩行者に利便である。
【発明を実施するための最良の形態】
【００１３】
第１の実施形態
以下、本発明に係る無線通信端末および交通管理システムの第１の実施形態を添付図面に関連付けて説明する。
図１は、本発明に係る交通管理システムが適用される道路交差点（以下、交差点）を示す。なお、図１に示す交差点では各道路が直角に交差しているが、図１に示す交差点は本実施形態の一実施例であって、直角以外の交差点でも構わない。
図１に示す交差点では、自動車用信号機３１，３２，３３，３４、および、歩行者用信号機４１ａ，４１ｂ，４２ａ，４２ｂ，４３ａ，４３ｂ，４４ａ，４４ｂが存在し、それぞれ自動車および歩行者がこれらの信号により進行動作が規律される。
各自動車用信号機および各歩行者用信号機は、表示用のＬＥＤを備え、図示しない管理装置２０（後述する）により、表示用のＬＥＤの点灯が制御される。すなわち、自動車用信号機の場合、青色信号，黄色信号，赤色信号のいずれかを点灯／点滅するように制御され、歩行者用信号機の場合、青色信号または赤色信号を点灯／点滅するように制御される。
なお、管理装置２０は、たとえば、自動車用信号機３１〜３４のいずれかの場所に固定されて設置される。
【００１４】
図１に示す歩行者Ａ１は、たとえば、携帯電話機１０を所持する視覚障害者であり、図示の位置において歩行者用信号機４１ｂの信号待ちをしている。
以下に説明する本実施形態に係る交通管理システムにおいては、歩行者Ａ１の携帯電話機１０に対する操作に応じて、無線通信を介して、各信号機を統括する管理装置２０を制御し、歩行者用信号機４１ｂのＬＥＤ表示を変更する。すなわち、歩行者用信号機４１ｂのＬＥＤ表示を赤色点灯から青色点灯へ切り替える制御を行う。
【００１５】
先ず、歩行者Ａ１が所持する携帯電話機１０について説明する。
図２は、本発明の無線通信端末としての携帯電話機１０の外観の一例を図解した図であり、（ａ）は正面の外観図を、（ｂ）は背面の外観図を、それぞれ示す。図３は、携帯電話機１０の主要回路の構成例を示すブロック図である。
以下、携帯電話機１０の各構成要素について、図２および図３に関連付けて説明する。  
【００１６】
図２（ａ）に示すように、携帯電話機１０の本体ケース１００の正面には、送受信アンテナ１０１ａと、表示部１０５と、キー入力部１０４と、マイクロフォン１０６ｂと、スピーカ１０６ａとが配設されている。
さらに、図２（ｂ）に示すように、携帯電話機１０の本体ケース１００の背面には、ＧＰＳ測位部１０３ａが配設されている。
図３に示すように、携帯電話機１０は、送受信アンテナ１０１ａを含む無線通信手段としての通信処理部１０１と、記憶手段としてのメモリ１０２と、ＧＰＳ測位部１０３ａを含む位置情報取得手段としてのＧＰＳ制御部１０３と、入力手段としてのキー入力部１０４と、表示部１０５と、スピーカ１０６ａおよびマイクロフォン１０６ｂを含む音声処理部１０６と、方位情報取得手段としての方位検出部１０７と、制御手段としての制御部１０９とを有している。
【００１７】
通信処理部１０１は、基地局を介した無線通信動作、すなわち、電話番号の発呼動作や電子メールの送受信動作を行うほか、所定の規格に準拠した無線近距離通信を行う。
たとえば、無線近距離通信は、数ＧＨｚの微弱な電波により、数メートル〜１０数メートルの範囲において無線通信が可能である。
本実施形態では、かかる無線近距離通信機能により、以下の動作を行う。
すなわち、通信処理部１０１は、管理装置２０が配設される交差点の通信可能領域（図１のＡＲＥＡ１）に携帯電話機１０を所持する歩行者が進入すると、管理装置２０より、交差点に入ったことを示す通知（交差点通知）を受信する。
さらに、管理装置２０から無線により送信され、送受信アンテナ１０１ａで受信した信号機に関する情報（信号機識別ＩＤおよび位置情報）を復調して制御部１０９に出力し、また、通信処理部１０１は、制御部１０９により特定される信号機に関する情報（信号機識別ＩＤ）を含む「青信号要求コマンド」を変調し、送受信アンテナ１０１ａにより管理装置２０に送信する。
なお、上記無線近距離通信の通信範囲は、管理装置２０が設置された位置によるため、交差点の広範な領域で確実に通信を可能とするために、各信号機に近距離通信機能を持たせるようにしてもよい。
【００１８】
メモリ１０２は、ＥＥＰＲＯＭ等の不揮発性メモリを含んで構成され、ＧＰＳ制御部１０３により算出した自己の位置情報、および方位検出部１０７により算出した自己の方位情報を記憶する。また、メモリ１０２は、通信処理部１０１を介して受信した信号機に関する情報（以下、信号機情報という）を記憶する。
図４は、メモリ１０２に記憶される自己の位置情報および方位情報を例示する。
図４に示すように、位置情報として緯度および経度を記憶する。図４では、方位情報として「南」，「東」を例示するが、より分解能が高い方位情報（「北北東」等）を方位検出部１０７が算出可能であることは言うまでもない。
【００１９】
ＧＰＳ制御部１０３は、ＧＰＳ測位部１０３ａを含み、要求に応じて自己の位置情報を取得する。
すなわち、ＧＰＳ測位部１０３ａは、少なくとも３つのＧＰＳ衛星から飛来し、各衛星の正確な位置情報と電波を発射した時刻情報を含む情報を受信する。ＧＰＳ制御部１０３は、ＧＰＳ測位部１０３ａが各ＧＰＳ衛星から受信した受信信号に基づいて、携帯電話機１０が位置する緯度と経度を演算し、制御部１０９へ出力する。
なお、他の位置情報の取得方法として、ＧＰＳ測位部１０３ａが受信したＧＰＳ衛星からの情報を図示しない基地局に送信し、基地局を介してＧＰＳサーバ（図示せず）に位置情報（緯度および経度）を演算させ、その演算結果を携帯電話機１０が受信することも可能であり、その場合には、ＧＰＳ制御部１０３において位置情報を演算する必要はない。
【００２０】
キー入力部１０４は、終了（終話）／電源キー、開始（発呼）キー、数字等に対応した複数のテンキー等を有し、これらのキーが歩行者であるユーザにより操作されることにより、ユーザからの入力情報を制御部１０９に出力する。
本実施形態においては、キーの一つとして信号機用ボタンが割り当てられ、この信号機用ボタンがユーザにより押下（操作）されると、後述する一連の動作、すなわち、自己の位置情報等の算出や管理装置２０との通信等が行われる。
【００２１】
表示部１０５は、液晶表示装置（ＬＣＤ）等の表示デバイスを有し、通話機能のために入力した電話番号や各種メッセージ、テキストデータ等を表示する。
【００２２】
音声処理部１０６は、音声処理回路を有し、通話機能のために音声出力を行うスピーカ１０６ａと音声入力を行うマイクロフォン１０６ｂとが接続されている。
音声処理部１０６は、マイクロフォン１０６ｂにより集音した音声に対して所定の処理を行って制御部１０９に供給する。
また、音声処理部１０６は、制御部１０９により供給された音声情報に対して所定の処理を行ってスピーカ１０６ａから出力させる。
【００２３】
方位検出部１０７は、地磁気センサを含んで構成され、地磁気センサの出力に基づいて方位角を検出する。
地磁気センサは、本体ケース１００に設定される座標系の各座標軸に平行な所定の複数の方向における地磁気を検出する。たとえば、本体ケース１００に設定される３次元の直角座標系の各座標軸方向における３軸の地磁気成分を検出する。地磁気の検出には、コイルの励磁を利用する方法や、ホール効果を利用する方法、磁気抵抗素子を利用する方法など、様々な方法を用いることができる。
方位検出部１０７は、地磁気センサにより検出される各方向の地磁気成分に基づいて、地平面上における方位角を算出し、制御部１０９へ出力する。
【００２４】
制御部１０９は、マイクロコンピュータを主体として構成され、携帯電話機１０の全体の制御を行う。たとえば、制御部１０９は、通信処理部１０１における各種情報の無線による送受信の制御、音声処理部１０６に対する音声情報の処理、表示部１０５への情報の表示制御、キー入力部１０４の入力情報に応じた処理、メモリ１０２に対するアクセス制御等を行う。
制御部１０９は、通信処理部１０１が管理装置２０より交差点通知（交差点に入ったことを示す通知）を受信すると、ユーザである歩行者にその旨を通知するために、スピーカ１０６ａが鳴動するように音声処理部１０６を制御する。さらに、受信した交差点通知に係る交差点に設置される信号機の位置情報を要求するための「情報提供要求コマンド」を通信処理部１０１に送出させる。
制御部１０９は、携帯電話機１０の位置情報および方位情報を取得するために、ＧＰＳ制御部１０３および方位検出部１０７を制御し、取得した位置情報および方位情報をメモリ１０２に記憶させる。
制御部１０９は、通信処理部１０１が管理装置２０より受信する信号機情報（信号機識別ＩＤおよび位置情報）を、メモリ１０２に記憶させた自己の位置情報および方位情報と参照し、ＬＥＤ表示を赤色から青色へ変更すべき信号機を特定し、通信処理部１０１に「青信号要求コマンド」を送出させる。
【００２５】
以上、携帯電話機１０の各構成要素について説明した。
次に、管理装置２０の各構成要素について、図５に関連付けて説明する。
【００２６】
通信処理部２０１は、送受信アンテナ２０１ａを含んで構成され、所定の規格に準拠した無線近距離通信を行う。
かかる無線近距離通信により、通信処理部２０１は、交差点の所定領域（図１のＡＲＥＡ１）において受信可能な出力レベルにより、交差点通知（交差点に入ったことを示す通知）を発信する。これにより、携帯電話機１０を所持する歩行者が上記交差点の所定領域に進入すると、交差点通知を受信することが可能となる。
さらに、通信処理部２０１は、信号機情報（信号機識別ＩＤおよび位置情報）を変調して携帯電話機１０に対して送信し、携帯電話機１０が特定した信号機の信号機識別ＩＤを含む青信号要求信号を受信する。
【００２７】
メモリ２０２は、管理装置２０が管理する複数の信号機情報を記憶する。
図６は、メモリ２０２が記憶する信号機情報を例示する。図６に示すように、メモリ２０２は、管理装置２０が管理する各信号機の信号機識別ＩＤと対応する信号機の位置情報（緯度および経度）を、関連付けて記憶する。
たとえば、図１に示す歩行者信号機４１ａ，４１ｂ，…，が図６に示す信号機識別ＩＤであるＩＤ０００１，ＩＤ０００２，…，に順に対応している。
【００２８】
信号機インタフェース２０３は、管理装置２０が管理する複数の信号機と接続され、制御部２０９より決定される各信号機に対する制御命令に応じた電気信号を送出する。
図示しない信号機は、たとえば、青色，赤色，黄色の各色を点灯／点滅させるためのＬＥＤおよびそのＬＥＤを駆動するための駆動回路を含み、信号機インタフェース２０３は、各信号機に含まれる駆動回路に対して、制御部２０９により決定される制御命令に応じた電気信号を送出する。
【００２９】
制御部２０９は、携帯電話機１０より「青信号要求コマンド」を受信しない限り、通常、所定時間間隔で管理する交差点の各信号機のＬＥＤ表示が切り替わるように、信号機インタフェース２０３を制御している。
制御部２０９は、携帯電話機１０より「情報提供要求コマンド」を受信すると、メモリ２０２から信号機識別ＩＤと対応する信号機の位置情報を読み出して、通信処理部２０１に送信させる。
制御部２０９は、携帯電話機１０より「青信号要求コマンド」を受信すると、青信号要求に係る信号機識別ＩＤを示す信号機のＬＥＤ表示を青色に変更するように、信号機インタフェース２０３を制御する。
【００３０】
以上、管理装置２０の各構成要素について説明した。
次に、携帯電話機１０の動作について、図７に示すフローチャートを用いて説明する。図７において、（Ａ）は携帯電話機１０により実行される処理のメインフローを、（Ｂ）は状況取得時のサブルーチンのフローを、（Ｃ）は信号機情報受信処理時のサブルーチンのフローを、それぞれ示す。
図７（Ａ）に示すように、携帯電話機１０は、歩行者により信号機用ボタンが押下されると（ステップＳＴ１０）、自己の状況取得を行う（ステップＳＴ２０）。
すなわち、図７（Ｂ）に示すように、制御部１０９は、ＧＰＳ制御部１０３を制御して、位置情報を取得してメモリ１０２に格納し（ステップＳＴ２１）、さらに、方位検出部１０７を制御して、方位情報を取得してメモリ１０２に格納する（ステップＳＴ２２）。  
【００３１】
自己の位置情報と方位情報を取得すると、携帯電話機１０は、「情報提供要求コマンド」を管理装置２０に対して送出し（ステップＳＴ３０）、管理装置２０より受信する信号機情報に基づいて、所定の処理を行う（ステップＳＴ４０）。
すなわち、図７（Ｃ）に示すように、制御部１０９は、管理装置２０より信号機情報（信号機識別ＩＤと位置情報）を受信する際、まず受信のためのタイマを起動した後に（ステップＳＴ４１）、信号機情報のデータ受信を開始し（ステップＳＴ４２）、受信した信号機情報（信号機識別ＩＤと位置情報）をメモリ１０２に格納する（ステップＳＴ４３）。
【００３２】
タイムアウトでなければ（ステップＳＴ４４）、ステップＳＴ４２および４３の処理が順次続行される。タイムアウトになると（ステップＳＴ４４）、携帯電話機１０の制御部１０９は、メモリ１０２に格納した信号機情報に基づいて、目的の信号機を特定する。
すなわち、携帯電話機１０は、メモリ１０２が記憶する自己の位置情報および方位情報と参照して、ＬＥＤ表示を赤色から青色へ変更する対象となる目的の信号機を特定する（ステップＳＴ４５）。
目的の信号機を特定した後、携帯電話機１０は、特定した信号機の信号機識別ＩＤを含む「青信号要求コマンド」を送信する（ステップＳＴ４６）。
その後、目的の信号機のＬＥＤ表示が青色になった旨の信号を受信すると、携帯電話機１０は、その信号機のＬＥＤ表示が再び赤色になる旨の信号を受信するまでの間、横断可能である旨を報知する。具体的には、音声処理部１０６を制御してスピーカ１０６ａを鳴動させる。
【００３３】
次に、管理装置２０の動作について、図８に示すフローチャートを用いて説明する。
携帯電話機１０よりデータを受信すると（ステップＳＴ７０）、管理装置２０は、受信したデータ（受信データ）が信号機の位置情報を要求する「情報提供要求コマンド」であるか否かをチェックする（ステップＳＴ７１）。
受信データが「情報提供要求コマンド」である場合には、管理装置２０が管理する各信号機の信号機識別ＩＤと位置情報を順次メモリ２０２から読み出し８ステップＳＴ７２，７３）、読み出した情報（各信号機の信号機識別ＩＤと位置情報）を送信する（ステップＳＴ７４）。
ステップＳＴ７０において、受信データが「情報提供要求コマンド」でない場合には、さらに、受信データが「青信号要求コマンド」であるか否かがチェックされ（ステップＳＴ７５）、受信データが「青信号要求コマンド」である場合には、受信した「青信号要求コマンド」に含まれる信号機識別ＩＤに対応する信号機のＬＥＤ表示を変更する処理を実行する（ステップＳＴ７６）。
青信号要求に係る信号機のＬＥＤ表示を青色にすると、その後、携帯電話機１０に対して信号表示が青色になった旨を送信し、さらに、当該信号機のＬＥＤ表示を赤色にするタイミングが到来すると、その旨も送信する。
【００３４】
さらに、携帯電話機１０および管理装置２０の間で行われる無線通信を介した処理動作について、交差点を示す図１、および、処理フローを示す図９に関連付けて、具体的に説明する。
以下では、図１において、携帯電話機１０を所持する歩行者Ａ１は、歩行者用信号機４１ｂが点灯する赤信号により信号待ちをしている状況において、歩行者用信号機４１ｂのＬＥＤ表示を青色に変更させる場合について、説明する。
【００３５】
ステップＳＴ１：
管理装置２０は、通信処理部２０１の近距離無線通信機能により、「交差点通知」を所定の通信可能領域ＡＲＥＡ１（図１）内で受信可能な出力レベルにより発信している。
ステップＳＴ２：
「交差点通知」を受信すると、携帯電話機１０の制御部１０９は、音声処理部１０６を制御し、スピーカ１０６ａを鳴動させる。たとえば、スピーカ１０６ａに「信号機が近くです」といった内容の音声を発声させる。
これにより、歩行者Ａ１が視覚障害者であっても、信号機が近いことを認識できるため危険を検知することができると同時に、青信号要求を行うことが可能な状態となったことを認識することができる。
【００３６】
ステップＳＴ３：
ステップＳＴ２におけるスピーカ１０６ａの鳴動に応じて、歩行者Ａ１が携帯電話機１０の信号機用ボタンを押下（操作）する。
ステップＳＴ４：
信号機用ボタンが押下されると、携帯電話機１０の制御部１０９は、ＧＰＳ制御部１０３および方位検出部１０７を制御し、携帯電話機１０の位置情報および方位情報を取得し、取得した位置情報および方位情報をメモリ１０２に記憶させる。
ステップＳＴ５：
携帯電話機１０は、交差点に設置される信号機情報（信号機識別ＩＤおよび位置情報）を要求するため、管理装置２０に対して「情報提供要求コマンド」を送出する。
【００３７】
ステップＳＴ６：
管理装置２０は、携帯電話機１０より受信した「情報提供要求コマンド」に応じて、自身が管理する複数の信号機情報を携帯電話機１０へ送信する。すなわち、管理装置２０の制御部２０９は、メモリ２０２から信号機識別ＩＤおよび対応する信号機の位置情報を読み出して、通信処理部２０１に送信させる。
図１に示す例では、管理装置２０は、自身が管理する歩行者用信号機４１ａ，４１ｂ，４２ａ，４２ｂ，４３ａ，４３ｂ，４４ａ，４４ｂのそれぞれの信号機情報（信号機識別ＩＤと位置情報）を、メモリ２０２から読み出して送信する。
【００３８】
ステップＳＴ７：
管理装置２０より各信号機の信号機識別ＩＤと位置情報を受信すると、携帯電話機１０は、メモリ１０２が記憶する自己の位置情報および方位情報を参照して、ＬＥＤ表示を赤色から青色へ変更する対象となる信号機を特定する。すなわち、自己の位置情報が示す位置から、自己の方位情報が示す方位の直線上に最も近い位置にある信号機を、受信した複数の信号機の中から特定する。
図１に示す例では、携帯電話機１０は、自己の方位情報が示す方位の直線上に最も近い信号機として、歩行者用信号機４１ｂを特定する。
【００３９】
ステップＳＴ８：
信号機を特定すると、携帯電話機１０は、特定した信号機のＬＥＤ表示を変更させるために、「青信号要求コマンド」を送出する。「青信号要求コマンド」は、特定した信号機の信号機識別ＩＤを含んで送出される。
ステップＳＴ９：
「青色要求コマンド」を受信すると、管理装置２０は、「青色要求コマンド」に含まれる信号機識別ＩＤを確認し、その信号機識別ＩＤに対応する信号機のＬＥＤ表示が青色点灯に切り替わるように制御する。
図１に示す例では、携帯電話機１０により特定された歩行者用信号機４１ｂのＬＥＤ表示を青色点灯へ変更する。
なお、管理装置２０は、歩行者用信号機４１ｂのＬＥＤ表示を青色点灯へ変更するタイミングの前に、たとえば、自動車用信号機３１のＬＥＤ表示を赤色点灯へ変更するように制御することは言うまでもない。
【００４０】
以上説明したとおり、本実施形態における携帯電話機１０によれば、近距離通信機能を有する通信処理部１０１と、信号機用ボタンを含むキー入力部１０４と、自己の位置情報を取得するＧＰＳ制御部１０３と、自己の方位情報を取得する方位検出部１０７と、制御部１０９と、を有し、制御部１０９は、キー入力部１０４に含まれる信号機用ボタンを押下（操作）されると、通信処理部１０１を介した無線通信により、複数の信号機情報（信号機認識ＩＤおよび位置情報）を取得し、取得した複数の信号機情報から、自己の位置情報および方位情報に基づいて、方位情報の示す方向に最も近い信号機を特定する。
したがって、携帯電話機１０を所持する視覚障害者は、複数の信号機の中から、進行方向上にあってＬＥＤ表示を青色に変更したい信号機を特定することが可能となり、視覚障害者は、視認によりＬＥＤ表示を青色に変更したい信号機を特定する必要がない。
【００４１】
本実施形態における携帯電話機１０によれば、音声処理部１０６を有し、通信処理部１０１を介した無線通信により、複数の信号機情報（信号機認識ＩＤおよび位置情報）を取得すると、制御部１０９は、音声処理部１０６を制御してスピーカを鳴動させる。
たとえば、スピーカ１０６ａに「信号機が近くです」といった内容の音声を発声させることにより、携帯電話機１０を所持する視覚障害者は、信号機が近いことを認識できるため危険を検知することができる。さらに、信号機用ボタンの押下による信号切替え制御の準備が整ったことを認識することが可能となり、たとえば携帯電話機１０の表示画面によりその旨を確認する必要がない。
【００４２】
本実施形態における交通管理システムによれば、上述した携帯電話機１０と管理装置２０とを含み、管理装置２０は、携帯電話機１０と無線通信を行う通信処理部２０１と、自己が管理する複数の信号機情報を格納するメモリ２０２と、制御部２０９と、制御部２０９の制御結果に応じて信号機のＬＥＤ表示を駆動するための信号機インタフェース２０３と、を有し、携帯電話機１０は、信号機用ボタンの押下（操作）に応じて、管理装置２０から受信する複数の信号機情報（信号機認識ＩＤおよび位置情報）により制御対象の信号機を特定した後に、信号機認識ＩＤを含む「青信号要求コマンド」を送信し、制御部２０９は、「青信号要求コマンド」を受信すると、その信号機認識ＩＤに対応する信号機のＬＥＤ表示を青色点灯させるように、信号機インタフェース２０３を制御する。
したがって、携帯電話機１０を所持する視覚障害者は、所持する携帯電話機１０の信号機用ボタンを押下するだけで、横断する方向の歩行者用信号機のＬＥＤ表示を青色点灯させることが可能となるので、たとえば、信号待ちの位置に通常設置される歩行者用押下ボタンを探して操作を行う必要がなく、大変利便である。また、歩行者用押下ボタンが設置されていない交差点の場合には、格別利便である。
【００４３】
第２の実施形態
以下、本発明の第２の実施形態について説明する。
第１の実施形態において説明した交通管理システムは、１つの交差点に設置される複数の信号機を管理し、各交差点の間隔が比較的長い地方の道路に適用される。
一方、各交差点の間隔が比較的短い都市部では、複数の交差点を管理する管理センタが各交差点毎に設置されるすべての信号機を管理している場合があり、本実施形態に係る交通管理システムでは、複数の交差点を管理する管理センタと携帯電話機との間の無線通信により、第１の実施形態と同様の効果を企図するものである。
【００４４】
上記管理センタは、複数の交差点に設置される信号機を管理するため、管理センタの通信部が携帯電話機を所持するユーザが直面する交差点に配置されているとは限らないので、本実施形態における携帯電話機は、管理センタと近距離無線通信ではなく、無線通信網を介した通信を行う。
管理センタは、管理する各交差点に設置された各信号機に対して、有線または無線により、ＬＥＤ表示の制御を行う。
【００４５】
図１０は、本実施形態において、後述する管理センタ７０により管理される複数の交差点を例示する交差点ＣＳ１，ＣＳ２の各構成を示す。図１０に示すように、交差点ＣＳ１には、自動車用信号機３１，３２，３３，３４、および、歩行者用信号機４１ａ，４１ｂ，４２ａ，４２ｂ，４３ａ，４３ｂ，４４ａ，４４ｂが設置され、交差点ＣＳ１には、自動車用信号機３５，３６，３７，３８、および、歩行者用信号機４５ａ，４５ｂ，４６ａ，４６ｂ，４７ａ，４７ｂ，４８ａ，４８ｂが設置される。
各自動車用信号機および各歩行者用信号機は、表示用のＬＥＤを備え、図示しない管理センタ７０により、表示用のＬＥＤの点灯が制御される。すなわち、自動車用信号機の場合、青色信号，黄色信号，赤色信号のいずれかを点灯／点滅するように制御され、歩行者用信号機の場合、青色信号または赤色信号を点灯／点滅するように制御される。
なお、管理センタ７０は、必ずしも、各交差点ＣＳ１，ＣＳ２に近接して配置される必要はなく、携帯電話機１０と確実に無線通信可能な場所であれば、場所は問わない。
【００４６】
図１に示す歩行者Ａ１は、たとえば、携帯電話機１０を所持する視覚障害者であり、図示の位置において歩行者用信号機４１ｂの信号待ちをしている。
以下に説明する本実施形態に係る交通管理システムにおいては、歩行者Ａ１の携帯電話機１０に対する操作に応じて、各信号機を統括する管理センタ７０を制御し、歩行者用信号機４１ｂのＬＥＤ表示を変更する。すなわち、歩行者用信号機４１ｂのＬＥＤ表示を赤色点灯から青色点灯へ切り替える制御を行う。
【００４７】
図１０において、歩行者Ａ１が所持する携帯電話機１０は、第１の実施形態において図３に関連付けて説明した携帯電話機１０と同一の構成を有するが、上述したように、通信処理部１０１は、後述する管理センタ７０と基地局を介した無線通信動作を行う点で相違する。
また、本実施形態においては、通信処理部１０１が所定時間間隔で管理センタ７０より交差点情報（後述する）を受信すると、自己の位置情報を算出し、受信した交差点情報に含まれる各交差点との距離を算出する。そして、受信した交差点情報に含まれるいずれかの交差点の位置が自己の位置から所定距離（所定閾値）内に存在する場合には、スピーカを鳴動して、「信号機が近くにある」旨をユーザに認識させる。
なお、本実施形態において、携帯電話機１０が送信する「情報提供要求コマンド」は、自己の位置情報を含んで送信される。
【００４８】
図１１は、管理センタ７０の主要回路の構成例を図解したブロック図である。
通信処理部７０１は、送受信アンテナ７０１ａを含んで構成され、携帯電話機１０と図示しない基地局を介した無線通信を行う。
第１の実施形態に係る通信処理部２０１と異なり、通信処理部７０１は、所定時間（たとえば、１０分）間隔で、交差点情報を変調して携帯電話機１０に対して送信する。
図１２は、通信処理部７０１が送信する交差点情報を例示する。図１２に示すように、交差点情報は、所定エリアにおけるすべての交差点の地図情報であり、各交差点に対応して設定される固有のＩＤである交差点ＩＤと各交差点の位置情報（緯度および経度）とが関連付けられた情報である。
携帯電話機１０は、通常、基地局を介して交換局に対して位置登録を行っているので、管理センタ７０は、たとえば、携帯電話機１０が位置登録されたエリアに含まれる交差点情報を交換局から取得し、所定時間間隔で携帯電話機１０に送信する。
また、通信処理部７０１は、メモリ７０２に格納する信号機情報（信号機識別ＩＤおよび位置情報）を変調して携帯電話機１０に対して送信し、携帯電話機１０は特定した信号機識別ＩＤを含む「青信号要求信号」を受信する。
【００４９】
メモリ７０２は、ＥＥＰＲＯＭ等の不揮発性メモリを含んで構成され、管理センタ７０が管理する複数の信号機情報を記憶する。図１３は、メモリ７０２が記憶する信号機情報を例示する。
管理センタ７０は、第１の実施形態における管理装置２０と異なり、複数の交差点に設置される信号機を管理するので、図１３に示すように、メモリ７０２は、管理センタ７０が管理する各信号機の信号機識別ＩＤと対応する信号機の位置情報（緯度および経度）だけでなく、各信号機に対応する交差点ＩＤを、関連付けて記憶する。
図１３では、たとえば、図１０に示す交差点ＣＳ１に設置される歩行者信号機４１ａ，４１ｂ，…，が図１２に示す信号機識別ＩＤであるＩＤ０００１，ＩＤ０００２，…，に順に対応し、また、交差点ＣＳ１の交差点ＩＤであるＩＤ０１に対応している。
【００５０】
信号機インタフェース７０３は、管理センタ７０が管理する複数の信号機と有線または無線により接続され、制御部７０９より決定される各信号機に対する制御命令に応じた信号を送出する。
図示しない信号機は、たとえば、青色，赤色，黄色の各色を点灯／点滅させるためのＬＥＤおよびそのＬＥＤを駆動するための駆動回路を含み、信号機インタフェース７０３は、各信号機に含まれる駆動回路に対して、制御部７０９により決定される制御命令に応じた信号を送出する。
【００５１】
制御部７０９は、携帯電話機１０より「青信号要求コマンド」を受信しない限り、通常、所定時間間隔で管理する各交差点の各信号機のＬＥＤ表示が切り替わるように、信号機インタフェース７０３を制御している。
制御部７０９は、位置情報が含まれる「情報提供要求コマンド」を携帯電話機１０より受信すると、受信した「情報提供要求コマンド」に含まれる位置情報と、メモリ７０２に格納する各交差点毎の信号機情報とを比較して、携帯電話機１０のユーザが位置する交差点を特定し、特定した交差点に設置されるすべての信号機の信号機識別ＩＤと対応する信号機の位置情報をメモリ７０２から読み出して、通信処理部７０１に送信させる。
その際、受信した「情報提供要求コマンド」に含まれる位置情報を、メモリ７０２に格納する各交差点毎の信号機情報と比較して、いずれの信号機情報が示す信号機の位置情報と所定距離以上離れた位置を示す場合には、自己が管理する各交差点にユーザは位置しないと判断し、何も送信しない。その場合には、ユーザが位置する交差点を管理する別の管理センタが、携帯電話機１０に対して、上述した情報を送信することになる。
【００５２】
また、制御部７０９は、携帯電話機１０より「青信号要求コマンド」を受信すると、青信号要求に係る信号機識別ＩＤを示す信号機のＬＥＤ表示を青色に変更するように、信号機インタフェース７０３を制御する。
【００５３】
以上、管理センタ７０の各構成要素について説明した。
次に、携帯電話機１０および管理センタ７０の間で行われる無線通信を介した処理動作について、管理センタ７０が管理する交差点を示す図１０、および、処理フローを示す図１４に関連付けて、具体的に説明する。
以下では、図１０において、携帯電話機１０を所持する歩行者Ａ１は、歩行者用信号機４１ｂが点灯する赤信号により信号待ちをしている状況において、歩行者用信号機４１ｂのＬＥＤ表示を青色信号に変更させる場合について、説明する。
【００５４】
ステップＳＴ１００：
管理センタ７０は、所定時間（たとえば、１０分）間隔で、交差点情報を携帯電話機１０に対して送信している。交差点情報は、所定エリアにおけるすべての交差点の地図情報であり、各交差点に対応して設定される固有のＩＤである交差点ＩＤと各交差点の位置情報（緯度および経度）とが関連付けられた情報である（図１２参照）。
ステップＳＴ２００：
携帯電話機１０は、所定時間間隔で管理センタ７０より交差点情報を受信すると、自己の位置情報を算出し、受信した交差点情報に含まれる各交差点との距離を算出する。そして、受信した交差点情報に含まれるいずれかの交差点の位置が自己の位置から所定距離（所定閾値）内に存在する場合には、スピーカ１０６ａを鳴動して、「信号機が近くにある」旨をユーザに認識させる。
これにより、携帯電話機１０のユーザである歩行者Ａ１が視覚障害者であっても、信号機が近いことを認識できるため危険を検知することができると同時に、青信号要求を行うことが可能な状態となったことを認識させることができる。
【００５５】
ステップＳＴ３００：
ステップＳＴ２００におけるスピーカ１０６ａの鳴動に応じて、歩行者Ａ１が携帯電話機１０の信号機用ボタンを押下（操作）する。
ステップＳＴ４００：
信号機用ボタンが押下されると、携帯電話機１０の制御部１０９は、ＧＰＳ制御部１０３および方位検出部１０７を制御し、携帯電話機１０の位置情報および方位情報を取得し、取得した位置情報および方位情報をメモリ１０２に記憶させる。
ステップＳＴ５００：
次いで、携帯電話機１０は、交差点に設置される信号機情報（信号機識別ＩＤおよび位置情報）を要求するため、管理センタ７０に対して、取得した自己の位置情報を含む「情報提供要求コマンド」を送出する。
【００５６】
ステップＳＴ６００：
「情報提供要求コマンド」を受信すると、管理センタ７０は、受信した「情報提供要求コマンド」に含まれる位置情報と、メモリ７０２に格納する各交差点毎の信号機情報とを比較して、携帯電話機１０のユーザが位置する交差点を特定する。
図１０では、受信した「情報提供要求コマンド」に含まれる位置情報から、ユーザが歩行者信号機４１ａまたは４４ｂから所定距離内に位置すると判断し、対応する交差点である交差点ＣＳ１を特定する。
ステップＳＴ７００：
次いで、管理センタ７０は、ステップＳＴ６００において特定した交差点に設置されるすべての信号機の信号機識別ＩＤと対応する信号機の位置情報をメモリ７０２から読み出して、携帯電話機１０へ送信する。
図１０では、特定した交差点ＣＳ１に設置される歩行者信号機４１ａ，４１ｂ，４２ａ，４２ｂ，４３ａ，４３ｂ，４４ａ，４４ｂの信号機情報（信号機識別ＩＤおよび位置情報）をメモリ７０２から読み出して、携帯電話機１０へ送信する。
【００５７】
ステップＳＴ８００：
管理センタ７０より特定された交差点の信号機の信号機情報（信号機識別ＩＤと位置情報）を受信すると、携帯電話機１０は、メモリ１０２が記憶する自己の位置情報および方位情報と参照して、ＬＥＤ表示を赤色から青色へ変更する対象となる信号機を特定する。すなわち、自己の位置情報が示す位置から、自己の方位情報が示す方位の直線上に最も近い位置にある信号機を、受信した複数の信号機の中から特定する。
図１に示す例では、携帯電話機１０は、自己の方位情報が示す方位の直線上に最も近い信号機として、歩行者用信号機４１ｂを特定する。
【００５８】
ステップＳＴ９００：
信号機を特定すると、携帯電話機１０は、特定した信号機のＬＥＤ表示を変更させるために、「青信号要求コマンド」を送出する。「青信号要求コマンド」は、特定した信号機の信号機識別ＩＤを含んで送出される。
ステップＳＴ１０００：
「青色要求コマンド」を受信すると、管理センタ７０は、「青色要求コマンド」に含まれる信号機識別ＩＤを確認し、その信号機識別ＩＤに対応する信号機のＬＥＤ表示が青色点灯に切り替わるように制御する。
図１に示す例では、携帯電話機１０により特定された歩行者用信号機４１ｂのＬＥＤ表示を青色点灯へ変更する。
なお、管理センタ７０は、歩行者用信号機４１ｂのＬＥＤ表示を青色点灯へ変更するタイミングの前に、たとえば、自動車用信号機３１のＬＥＤ表示を赤色点灯へ変更するように制御することは言うまでもない。また、歩行者信号機４１ｂに対する制御に応じて、管理センタ７０が管理する別の交差点ＣＳ２の各信号機のＬＥＤ表示も制御される。
【００５９】
以上述べた動作により、本実施形態における携帯電話機１０は、第１の実施形態における携帯電話機１０と同様の効果を奏することができる。
すなわち、携帯電話機１０を所持する視覚障害者は、複数の信号機の中から、進行方向上にあってＬＥＤ表示を青色に変更したい信号機を特定することが可能となり、視覚障害者は、視認によりＬＥＤ表示を青色に変更したい信号機を特定する必要がない。
また、交差点の位置が自己の位置から所定距離内にある場合には、スピーカ１０６ａに「信号機が近くです」といった内容の音声を発声させるので、携帯電話機１０を所持する視覚障害者は、信号機が近いことを認識できるため危険を検知することができる。さらに、信号機用ボタンの押下による信号切替え制御の準備が整ったことを認識することが可能となり、携帯電話機１０の表示画面等によりその旨を確認する必要がない。
【００６０】
以上述べた動作により、本実施形態における交通管理システムは、第１の実施形態における交通管理システムと同様の効果を奏することができる。
すなわち、携帯電話機１０を所持する視覚障害者は、所持する携帯電話機１０の信号機用ボタンを押下するだけで、横断する方向の歩行者用信号機のＬＥＤ表示を青色点灯させることが可能となるので、たとえば、信号待ちの位置に通常設置される歩行者用押下ボタンを探して操作を行う必要がなく、大変利便である。さらに、歩行者用押下ボタンが設置されていない交差点の場合には、格別利便である。
【００６１】
本実施形態に係る交通管理システムは、上述した内容に拘泥せず、本発明の要旨を変更しない範囲で様々な改変が可能である。
たとえば、上述した交通管理システムでは、携帯電話機１０が管理センタ７０より所定時間毎に交差点情報を受信し、交差点が特定された後に、特定された交差点に含まれる信号機情報を受信するとしたが、携帯電話機１０と管理センタ７０との間に通信可能なデータ容量が十分にあれば、所定時間毎に所定エリア内のすべての信号機情報を受信するようにしてもよい。その場合、携帯電話機１０は、受信した信号機情報に含まれるすべての信号機の位置情報と、自ら取得した自己の位置情報および方位情報とから、青信号にしたい信号機を特定し、「青信号要求コマンド」を送信できるので、図１４におけるステップＳＴ５００〜７００（交差点を特定する処理）は必要ない。
【００６２】
上述した交通管理システムでは、携帯電話機１０が管理センタ７０より所定時間（たとえば、１０分）ごとに交差点情報を受信することとしたが、自己の位置情報を短い時間間隔（たとえば、数秒間隔）で取得し、取得した位置情報に基づいて自己の軌跡をモニタすることにより、所定時間毎に受信する交差点情報から、自己の進行方向上の交差点を逐次座標計算により特定するようにしてもよい。
この場合、特定した交差点から所定距離内（たとえば、５メートル以内）に近づいたらスピーカを鳴動させることにより、ユーザに「信号機が近い」旨を認識させる。
【００６３】
上述した各実施形態では、信号機が近い旨をスピーカ１０６ａを鳴動させることによりユーザに認識させるように構成したが、バイブレータを作動させることにより、同様の効果が得られることは言うまでもない。
上述した各実施形態では、「信号機または信号機の表示を赤色から青色に変更する」という表現により説明したが、「赤色」および「青色」は、交通法規上、それぞれ「止まれ」および「進め」を意味する内容の表示であればよく、厳密に「赤色」および「青色」である必要はないことも言うまでもない。
【図面の簡単な説明】
【００６４】
【図１】本発明の第１の実施形態における道路交差点を示す図である。
【図２】本発明の第１の実施形態に係る携帯電話機の外観の一例を図解した図であり、（ａ）は正面の外観図を、（ｂ）は背面の外観図を、それぞれ示す。
【図３】本発明の第１の実施形態に係る携帯電話機の主要回路の構成例を図解したブロック図である。
【図４】本発明の第１の実施形態に係る携帯電話機のメモリに格納されるデータ内容を示す図である。
【図５】本発明の第１の実施形態に係る管理装置の主要回路の構成例を図解したブロック図である。
【図６】本発明の第１の実施形態に係る管理装置のメモリに格納されるデータ内容を示す図である。
【図７】本発明の第１の実施形態に係る携帯電話機の処理内容を示すフローチャートであって、（Ａ）は携帯電話機１０により実行される処理のメインフローを、（Ｂ）は状況取得時のサブルーチンのフローを、（Ｃ）は信号機情報受信処理時のサブルーチンのフローを、それぞれ示す。
【図８】本発明の第１の実施形態に係る管理装置の処理内容を示すフローチャートである。
【図９】本発明の第１の実施形態に係る交通管理システムの処理フローを示す図である。
【図１０】本発明の第２の実施形態における道路交差点を示す図である。
【図１１】本発明の第２の実施形態に係る管理センタの主要回路の構成例を図解したブロック図である。
【図１２】本発明の第２の実施形態に係る管理センタから送信される交差点情報の一例を示す。
【図１３】本発明の第２の実施形態に係る管理センタに格納されるデータ内容の一例を示す図である。
【図１４】本発明の第２の実施形態に係る交通管理システムの処理フローを示す図である。
【符号の説明】
【００６５】
１０…携帯電話機
１００…本体ケース
１０１…通信処理部
１０１ａ…送受信アンテナ
１０２…メモリ
１０３…ＧＰＳ制御部
１０３ａ…ＧＰＳ測位部
１０４…キー入力部
１０５…表示部
１０６…音声処理部
１０６ａ…スピーカ
１０６ｂ…マイクロフォン
１０７…方位検出部
１０９…制御部
２０…管理装置
２０１…通信処理部
２０１ａ…送受信アンテナ
２０２…メモリ
２０３…信号機インタフェース
７０…管理センタ
７０１…通信処理部
７０１ａ…送受信アンテナ
７０２…メモリ
７０３…信号機インタフェース
３１，３２，３３，３４，３５，３６，３７，３８…自動車用信号機
４１ａ，４１ｂ，４２ａ，４２ｂ，４３ａ，４３ｂ，４４ａ，４４ｂ，４５ａ，４５ｂ，４６ａ，４６ｂ，４７ａ，４７ｂ，４８ａ，４８ｂ…歩行者用信号機
ＣＳ１，ＣＳ２…交差点
【図１】
2005190438.tif 000003
【図２】
2005190438.tif 000004
【図３】
2005190438.tif 000005
【図４】
2005190438.tif 000006
【図５】
2005190438.tif 000007
【図６】
2005190438.tif 000008
【図７】
2005190438.tif 000009
【図８】
2005190438.tif 000010
【図９】
2005190438.tif 000011
【図１０】
2005190438.tif 000012
【図１１】
2005190438.tif 000013
【図１２】
2005190438.tif 000014
【図１３】
2005190438.tif 000015
【図１４】
2005190438.tif 000016